(57)【要約】【課題】１つの部材で回路ユニットの二面（側面及び底面）のアースを確保する。【解決手段】回路ユニット５を本体ケース３に装着することで、コネクタ６の接続ピン６ａが、それぞれ、上下のピン受け具１１Ａ，１１Ｂに接続される。このとき、回路ユニット５の側面部及び底面部に対して設けられている板バネ部材２３が、本体ケース３の内側面部及び底面部に接触して、回路ユニット５の上シャーシ１４、下シャーシ１３及び枠フレーム１５が同電位となって、アースが確保される。板バネ部材２３によって、コネクタ６の接続部分回りも確実にシールドされる。特に、板バネ部材２３に形成された複数の被係合爪部２３Ａｃ，２３Ｂｃが、本体ケース３の底面部に形成されている係合部２３ｃ，２３ｄに係脱可能に係合するので、本体ケース３の底面部にも確実に板バネ部材２３が接触する構成となっている。【選択図】        図９
2005032493.tif 000002
【特許請求の範囲】
【請求項１】
箱形状の本体ケースに蓋体が開閉可能に設けられて電子機器ケースが構成され、その本体ケースは、側面部にコネクタが設けられると共に、内部に回路ユニットが装着され、この回路ユニットに前記コネクタの接続ピンに接続されるピン受け具が設けられ、前記電子機器ケースがアース電位とされている電子機器におけるコネクタ接続部のシールド構造において、
前記回路ユニットには、前記回路ユニットの側面板部から底面板部にかけて、前記ピン受け具に対応して開口部が形成されると共に、その開口部の周囲を囲む環状部分を有する板バネ部材が設けられ、
この板バネ部材の環状部分のうち底面板部に設けられる部分に係脱可能に係合する係合部が本体ケースの底面部に形成され、
前記回路ユニットが本体ケースに装着されコネクタの接続ピンがピン受け具に接続された状態で、前記回路ユニットの側面板部及び底面板部が、前記コネクタの接続部分の周囲において本体ケースの側面部及び底面部と、板バネ部材を介して同電位とされていることを特徴とする電子機器におけるコネクタ接続部のシールド構造。
【請求項２】
前記板バネ部材の環状部分のうち底面板部に設けられる部分は、内方に突出する複数の被係合爪部を有するものであり、
前記回路ユニットが本体ケースに装着されコネクタの接続ピンがピン受け具に接続された状態で、前記被係合爪部に係合部が係脱可能に係合している請求項１記載の電子機器におけるコネクタ接続部のシールド構造。
【請求項３】
前記板バネ部材は、複数のピン受け具に対応する複数の環状部分と、その環状部分に連接され環状部分の配列方向に延びる取付基部とを有する請求項１又は２記載の電子機器におけるコネクタ接続部のシールド構造。
【請求項４】
前記回路ユニットは、上部周縁に外方に突出するフランジ部を有するものであり、
前記板バネ部材の環状部分の上端部に、前記フランジ部の下面に取り付けられる延長部が連接され、前記回路ユニットが本体ケースに装着されコネクタの接続ピンがピン受け具に接続された状態で、前記回路ユニットのフランジ部が、本体ケースと、前記延長部を介して同電位とされている請求項１〜３のいずれかに記載の電子機器におけるコネクタ接続部のシールド構造。
【発明の詳細な説明】
【０００１】
【発明の属する技術分野】
この発明は、電子機器におけるコネクタ接続部のシールド構造に関する。
【０００２】
【従来の技術】
従来、電子機器として、例えばＣＡＴＶアンプのように、電子部品（例えば、電気信号増幅用のトランジスタやＩＣ）を有する回路ユニットをダイカストケース（電子機器ケース）内に内蔵するものは知られている。このようなダイカストケースは、箱形状の本体ケースに蓋体を開閉可能に設けることで構成され、その本体ケース内に、前記回路ユニットが装着される構成となっている。
【０００３】
その本体ケースの左右の側面部にはそれぞれ入力接栓又は出力接栓などのコネクタが取り付けられ、このコネクタが、本体ケース内に突出する接続ピンを有する。このコネクタの接続ピンが、回路ユニットのピン受け具に接続され、テレビ信号の入力や出力が行われる。コネクタは、利得、出力、周波数が異なるので、コネクタの接続部分はシールド（電磁遮蔽）する必要がある。
【０００４】
そこで、コネクタの接続部分ごとにその周囲を囲むことができるアース片を設け、そのアース片の元部をネジによって回路ユニットの底板に固定し、回路ユニット（電子装置）をケース本体に挿入した状態で、アース片がケース本体（アース電位にある）の内側面に接触し、アース電位とされるので、コネクタの接続部分の周囲がシールドされ、コネクタの接続部分それぞれが他のコネクタの接続部分の影響を受けることなく、信号の授受が行われるようにしたものが知られている（例えば特許文献１参照）
【０００５】
【特許文献１】
実開昭５８−１６４２７９号公報（第３頁、第６頁〜第７頁）
【０００６】
【発明が解決しようとする課題】
しかしながら、そのような構造では、回路ユニットの側面板部に設けたアース片を本体ケースの内側面部に接触させ、回路ユニットの側面板部がアース電位となるようにしているだけである。そのため、回路ユニットの底面板部を、別の部材（例えばボルト）を用いて本体ケースの底面部に接続し、それらが同電位（アース電位）になるようにし、よりシールド効果が高まるようにしている。
【０００７】
つまり、回路ユニットの側面板部及び底面板部を、本体ケースの側面部及び底面部と同電位とするために、異なる部品を用いているので、部品点数が多くなり、工数も増え、コストダウンを図る上で不利である。
【０００８】
この発明は、１つの部材で、回路ユニットの二面（側面板部及び底面板部）についてのシールドを確保できる電子機器におけるコネクタ接続部のシールド構造を提供することを目的とする。
【０００９】
【課題を解決するための手段】
請求項１の発明は、箱形状の本体ケースに蓋体が開閉可能に設けられて電子機器ケースが構成され、その本体ケースは、側面部にコネクタが設けられると共に、内部に回路ユニットが装着され、この回路ユニットに前記コネクタの接続ピンに接続されるピン受け具が設けられ、前記電子機器ケースがアース電位とされている電子機器におけるコネクタ接続部のシールド構造において、前記回路ユニットには、前記回路ユニットの側面板部から底面板部にかけて、前記ピン受け具に対応して開口部が形成されると共に、その開口部の周囲を囲む環状部分を有する板バネ部材が設けられ、この板バネ部材の環状部分のうち底面板部に設けられる部分に係脱可能に係合する係合部が本体ケースの底面部に形成され、前記回路ユニットが本体ケースに装着されコネクタの接続ピンがピン受け具に接続された状態で、前記回路ユニットの側面板部及び底面板部が、前記コネクタの接続部分の周囲において本体ケースの側面部及び底面部と、板バネ部材を介して同電位とされていることを特徴とする。
【００１０】
このようにすれば、アース電位の本体ケースに回路ユニットが装着されると、回路ユニットの側面板部が、板バネ部材を介して本体ケースの内側面部と接触し、回路ユニットの側面板部及び板バネ部材が、本体ケースと同電位（アース電位）とされる。それに加えて、回路ユニットの底面板部に設けられる部分に、本体ケースの底面部の係合部が係脱可能に係合するので、回路ユニットの底面板部も本体ケースと同電位とされる。
【００１１】
このように、１つの板バネ部材によって、本体ケースの内側面部と回路ユニットの側面板部との間だけでなく、本体ケースの底面部と回路ユニットの底面板部との間でも電気的な接続（接触）が確保される。よって、コネクタの接続ピン回りのシールドが確保されると共に、回路ユニットの側面板部と底面板部との２面についてのアース、シールドが確保される。
【００１２】
請求項２に記載のように、前記板バネ部材の環状部分のうち底面板部に設けられる部分は、内方に突出する複数の被係合爪部を有するものであり、前記回路ユニットが本体ケースに装着されコネクタの接続ピンがピン受け具に接続された状態で、前記被係合爪部に係合部が係脱可能に係合していることが望ましい。
【００１３】
このようにすれば、本体ケースの底面部の係合部が係脱可能に係合する被係合爪部を、板バネ部材の環状部分のうち底面板部に設けられる部分に設けることで、板バネ部材の環状部分と、本体ケースの底面部の係合部とが確実に接触することになる。
【００１４】
請求項３に記載のように、前記板バネ部材は、複数のピン受け具に対応する複数の環状部分と、その環状部分に連接され環状部分の配列方向に延びる取付基部とを有することが望ましい。
【００１５】
このようにすれば、各ピン受け具に対応する複数の環状部分が取付基部を介して一体に設けられているので、１つの板バネ部材を回路ユニットに取り付けることで、複数の環状部分を複数のピン受け具に対して同時に取り付けることができる。よって、工数の低減が図れ、コストダウンが図れる。
【００１６】
請求項４に記載のように、前記回路ユニットは、上部周縁に外方に突出するフランジ部を有するものであり、前記板バネ部材の環状部分の上端部に、前記フランジ部の下面に取り付けられる延長部が連接され、前記回路ユニットが本体ケースに装着されコネクタの接続ピンがピン受け具に接続された状態で、前記回路ユニットのフランジ部が、本体ケースと、前記延長部を介して同電位とされていることが望ましい。
【００１７】
このようにすれば、回路ユニットが本体ケースに装着されコネクタの接続ピンがピン受け具に接続された状態で、延長部が本体ケースに接触し、回路ユニットのフランジ部も本体ケースと同電位（アース電位）とされ、上面板部についてもシールドが確保される。よって、回路ユニットのシールド機能をより一層高めることができる。
【００１８】
【発明の実施の形態】
以下、この発明の実施の形態を図面に沿って説明する。
【００１９】
図１は本発明に係る電子機器であるＣＡＴＶアンプの取付状態を示す斜視図である。図２は回路ユニットが装着された状態の本体ケースの平面図、図３は回路ユニットが取り除かれた状態の本体ケースの平面図、図４は本体ケースの係合部の説明図、図５は図２のＡ−Ａ線における断面図である。
【００２０】
図１に示すように、ＣＡＴＶアンプ１（電子機器）の電子機器ケース２は、前面が開口された箱形状の本体ケース３と、その前面を開閉可能に覆う箱形状の蓋体４とを備える。電子機器ケース２は、熱伝導の良好なアルミニウム合金、亜鉛合金、マグネシウム合金等の材料を用いてダイカスト成形されたダイカストケースである。
【００２１】
本体ケース３は、図２に示すように、内部に各種電子部品を内蔵する回路ユニット５が装着され、左右外側面部にコネクタ６（入力接栓６Ａ、出力接栓６Ｂ）がそれぞれ設けられている。図３及び図４に示すように、コネクタ６の接続ピン６ａが本体ケース３内に突出している。
【００２２】
本体ケース３の上下部左右の４個所には被取付部３ａがそれぞれ形成され、それらの中央寄りに被固定部３ｂがそれぞれ形成されている。一方、蓋体４には、被固定部３ｂに対応して固定部４ｂが形成されている。そして、被固定部３ｂと固定部４ｂとの間にボルト１０を用いて、本体ケース３に蓋体４が上下左右４個所で連結固定される構成となっている。
【００２３】
上部左右の被取付部３ａにはメッセンジャーワイヤＭを係止するためのメッセンジャーワイヤ取付金具８が取り付けられている。そして、被取付部３ａとメッセンジャーワイヤ取付金具８との間でメッセンジャーワイヤＭを係止することで、ＣＡＴＶアンプ１がメッセンジャーワイヤＭに吊り下げ状態で取り付けられるようになっている。
【００２４】
また、下部左右の被取付部３ａが、ヒンジ金具９を介して蓋体４の固定部４ｂに連結され、本体ケース３の被固定部３ｂと蓋体４の固定部４ｂとの、上下部左右のボルト１０の連結固定を解除することで、蓋体４が上開き可能なる構成とされている。
【００２５】
図３及び図４に示すように、本体ケース３の底面部には、水平断面Ｕ枠形状の係合部３ｃ，３ｄが、コネクタ６（接続ピン６ａ）が設けられる部分に対応して形成されている。この係合部３ｃ，３ｄは、本体ケース３の底面部より突出して形成され、後述するように、環状部分２３Ａ，２３Ｂの第２の部分２３Ａｂ，２３Ｂｂに係脱可能に係合するものである。
【００２６】
また、本体ケース３の外側面（底面部に相当する部分）に、放熱部分の表面積を増大させるために、図５に示すように、多数の放熱フィン３ｅが平行に設けられている。また、蓋体４の外側面にも、同様に、多数の放熱フィン４ａ（図１参照）が平行に設けられている。
【００２７】
本体ケース３（電子機器ケース）内には、図２に示すように、各種電子部品１１を有する回路ユニット５が装着されている。
【００２８】
回路ユニット５は、図５に示すように、底シャーシ１３（底面板部）と上シャーシ１４とが、枠フレーム１５（側面板部）の上下フランジ部１５ａ，１５ｂに取付ネジ１２を用いてほぼ平行に取付固定されることで、回路基板１６を内蔵するユニットケーシング５Ａが形成されている。底シャーシ１３と上シャーシ１４との間に回路基板１６（例えばプリント基板）が配置され、この回路基板１６に各種電子部品が取り付けられている。回路基板１６の周縁部は、枠フレーム１５の高さ方向の中間部位において切り起こされた取付部１５ｃに取付ネジ１２にて取付固定されている。
【００２９】
この回路基板１６の上側及び下側には、図６に示すように、回路ユニット５の装着時に、コネクタ６の接続ピン６ａが接続される上側及び下側ピン受け具１１Ａ，１１Ｂが設けられている。そして、これらのピン受け具１１Ａ，１１Ｂに対応して、図６に示すように、回路ユニット５の枠フレーム１５及び底シャーシ１３には、各コネクタ６に対応して上下方向に長い矩形状の開口部２１，２２が形成され、その各開口部２１，２２の周囲を別々に囲む複数の環状部分２３Ａ，２３Ｂを有する板バネ部材２３が複数の取付ネジ２４によって取り付けられている。各環状部分２３Ａ，２３Ｂは、枠フレーム１５の外側面に沿っている第１の部分２３Ａａ，２３Ｂａと、底シャーシ１３の外側底面に沿っている第２の部分２３Ａｂ，２３Ｂｂとを有する。そして、第１の部分２３Ａａ，２３Ｂａは互いに平行に延びており、上下方向の長さの長い第１の部分２３Ａａと、上下方向の長さの短い第１の部分２３Ｂａとが交互に配設されている。第１の部分２３Ｂａ（開口部２２）の長さは、第１の部分２３Ａａ（開口部２１）の長さよりも短くなっている。
【００３０】
交互に配置された環状部分２３Ａ，２３Ｂの基端部が、環状部分２３Ａ，２３Ｂの配列方向に延びる取付基部２３Ｃに連接されている。この取付基部２３Ｃは底シャーシ１３に複数の取付ネジ２４によって取り付けられている。
【００３１】
本体ケース３の底面部の係合部３ｃ，３ｄは、環状部分２３Ａ，２３Ｂの第２の部分２３Ａｂ，２３Ｂｂ（底シャーシ１４に設けられる部分）に係脱可能に係合するように構成されている。第２の部分２３Ａｂ，２３Ｂｂには、係合部３ｃ，３ｄに係脱可能に係合する複数の被係合爪部２３Ａｃ，２３Ｂｃが形成されている。具体的には、被係合爪部２３Ａｃ，２３Ｂｃに係合部３ｃ，３ｄ内の凹部に嵌り込むようになっている。
【００３２】
また、回路ユニット５は、上部周縁に外方に突出するフランジ部５ａを有するものであり、前記板バネ部材２３の環状部分２３Ａの上端部に、前記フランジ部５ａの下面に取り付けられる延長部２３Ａｄが設けられている。
【００３３】
回路ユニット５を本体ケース３に装着する際に、コネクタ６の接続ピン６ａが開口部２１，２２を通じて下側から上側に変位し、ピン受け具１１Ａ，１１Ｂに接続される。
【００３４】
上記のように構成すれば、コネクタ６の接続ピン３ａとピン受け具１１Ｂとの接続関係についてのみ示す図７〜図９において、回路ユニット５が本体ケース３に装着される際に、コネクタ６の接続ピン６ａが、開口部２２を通じて下側から上側に変位し、ピン受け具１１Ｂに接続される。その接続状態で、回路ユニット５の側面板部が、コネクタ６の接続部分の周囲において本体ケース３の内側面部と板バネ部材２３の環状部分２３Ｂの第１の部分２３Ｂａを介して接触し、同電位（アース電位）とされ、コネクタ６の接続ピン６ａ回りがシールドされる。また、回路ユニット５の側面板部は、アースされる。被係合爪部２３Ｂｃに係合部３ｄが係脱可能に係合することで、回路ユニット５の底シャーシ１３（底板部）もアースされる。
【００３５】
同様にして、コネクタ６の接続ピン６ａが、開口部２１を通じて下側から上側に変位し、ピン受け具１１Ａに接続される。その接続状態で、回路ユニット５の側面板部が、コネクタ６の接続部分の周囲において本体ケース３の内側面部と板バネ部材２３の環状部分２３Ａの第１の部分２３Ａａを介して接触し、同電位（アース電位）とされ、コネクタ６の接続ピン６ａ回りがシールドされる。また、回路ユニット５の側面板部は、アースされる。被係合爪部２３Ａｃに係合部３ｃが係脱可能に係合することで、回路ユニット５の底シャーシ１３（底板部）もアースされる。さらに、延長部２３Ａｄを介して回路ユニット５のフランジ部５ａが本体ケース３と同電位（アース電位）とされる。
【００３６】
このように、前述したような板バネ部材２３を回路ユニット５に取り付けておくことで、回路ユニット５を本体ケース３に装着するだけで、コネクタ６の接続ピン６ａがそれぞれ上下側のピン受け具１１Ａ，１１Ｂに接続される。このとき、回路ユニット５の側面板部及び底面板部、上面板部に対して設けられている板バネ部材２３が本体ケース３の内側面部及び底面部、上面部に接触して、回路ユニット５の上シャーシ１４、下シャーシ１３及び枠フレーム１５が本体ケース３と同電位となって、アースが確保される。板バネ部材２３によって、コネクタ６の接続部分回りも確実にシールドされる。
【００３７】
特に、複数の被係合爪部２３Ａｃ，２３Ｂｃが、本体ケース３の底面部に形成されている係合部３ｃ，３ｄに係脱可能に係合するので、本体ケース３の底面部にも確実に板バネ部材２３が接触する構成となっている。延長部２３Ａｄを介して回路ユニット５のフランジ部５ａ（上シャーシ１４）も、本体ケース３と確実に同電位（アース電位）とされる。
【００３８】
前記実施の形態においては、本体ケース３の底面部に枠状の係合部３ｃ，３ｄを形成し、板バネ部材２３にその係合部に係脱可能に係合する被係合爪部２３Ａｃ，２３Ｂｃ（環状部分２３Ａ，２３Ｂ）を形成しているが、本発明はそれに限定されるものではなく、本体ケースの底面部と板バネ部材の接触が確実に確保できるものであれば、それらの形状は特に制限されない。
【００３９】
また、前記実施の形態は、ＣＡＴＶアンプのコネクタ接続部のシールド構造に適用した例であるが、本発明はそれに限定されるものではなく、電磁遮蔽が必要とされる電子機器におけるコネクタ接続部のシールド構造にも適用することができる。
【００４０】
【発明の効果】
この発明は、以上に説明したように実施され、以下に述べるような効果を奏する。
【００４１】
請求項１の発明は、回路ユニットが本体ケースを装着すると、板バネ部材を介して回路ユニットの側面部と本体ケースの側面部とを同電位（アース電位）にするだけでなく、本体ケースの底面部の係合部に板バネ部材が係脱可能に係合するので、底面板部においても同電位となり、１つの板バネ部材で回路ユニットの側面板部と底面板部とのアースを確保することができる。
【００４２】
請求項２の発明は、板バネ部材の被係合爪部を、本体ケースの底面部の係合部に係脱可能に係合させるようにしているので、板バネ部材（回路ユニットの底面板部）を本体ケースの底面部に確実に接触させることができる。
【００４３】
請求項３の発明は、各コネクタに対応する環状部分を取付基部を介して一体に形成しているので、複数の環状部分を同時に取り付けることができ、工数の低減が図れ、コストダウンを図る上で有利である。
【００４４】
請求項４の発明は、回路ユニットが本体ケースに装着されたとき、延長部が本体ケースに接触し、回路ユニットのフランジ部もアース電位となるようにしているので、シールド機能を高める上で有利である。
【図面の簡単な説明】
【図１】本発明に係る電子機器であるＣＡＴＶアンプの取付状態を示す斜視図である。
【図２】回路ユニットが装着された状態の本体ケースの平面図である。、
【図３】回路ユニットが取り除かれた状態の本体ケースの平面図である。
【図４】本体ケースの係合部の説明図である。
【図５】図２のＡ−Ａ線における断面図である。
【図６】回路ユニットの要部斜視図である。
【図７】回路ユニットの要部断面図である。
【図８】本体ケースの要部断面図である。
【図９】回路ユニットを、本体ケースに装着する場合の要部断面図である。
【符号の説明】
１    ＣＡＴＶアンプ（電子機器）
２    電子機器ケース
３    本体ケース
３ｃ，３ｄ    係合部
４    蓋体
５    回路ユニット
６    コネクタ
６ａ    接続ピン
１１Ａ，１１Ｂ    ピン受け具
１３    底シャーシ
１４    上シャーシ
１５    枠フレーム
１６    回路基板
２１，２２    開口部
２３    板バネ部材
２３Ａ，２３Ｂ    環状部分
２３Ｃ    取付基部
２３Ａｃ，２３Ｂｃ    被係合爪部
２３Ａｄ    延長部
【図１】
2005032493.tif 000003
【図２】
2005032493.tif 000004
【図３】
2005032493.tif 000005
【図４】
2005032493.tif 000006
【図５】
2005032493.tif 000007
【図６】
2005032493.tif 000008
【図７】
2005032493.tif 000009
【図８】
2005032493.tif 000010
【図９】
2005032493.tif 000011